(57)【特許請求の範囲】
【請求項１】
洗濯機パンと、前記洗濯機パンを包装する包装部材とを備えた洗濯機パン包装体であって、
前記洗濯機パンは、洗濯機を載置する底面部と、
前記底面部の周囲に立ちあがり、外側へと下降する形状のリム部とを有し、
前記包装部材は、前記洗濯機パンにおける少なくとも対向する二辺の前記リム部の上面及び外側側面を覆い、且つ前記洗濯機パンの底面部上方側に覆われていない開放部を有するトレイと、前記洗濯機パン内部の前記トレイで覆われていない部分に装填され、前記トレイの上面部と略面一となるように前記洗濯機パンの底面部から前記トレイの上面部までの長さと略同一な高さを有するクッション材を備えたことを特徴とする洗濯機パン包装体。
【請求項２】
洗濯機パンと、前記洗濯機パンを包装する包装部材とを備えた洗濯機パン包装体であって、
前記洗濯機パンは、洗濯機等を載置する底面部と、
前記底面部の周囲に立ちあがり、外側へと下降する形状のリム部とを有する洗濯機パンであって、
前記包装部材は、前記洗濯機パンにおける少なくとも対向する二辺の前記リム部の上面及び外側側面及び裏面を覆うトレイと、
前記洗濯機パンの裏面部の前記トレイで覆われていない部分には、前記トレイの下面と略面一となるように前記洗濯機パンの裏面部から前記トレイの下面部までの長さと略同一な厚みを有する保護材を装着したことを特徴とする洗濯機パン包装体。
【請求項３】
請求項１または請求項２に記載の洗濯機パン包装体において、
前記トレイを複数に分断するための切断手段を設けたことを特徴とする洗濯機パン包装体。
【請求項４】
請求項１乃至３のいずれか１項に記載の洗濯機パン包装体において、
前記トレイの上部と下部それぞれに凹部と凸部を少なくとも一対ずつ形成し、
更に、上部及び下部の凹部と上部及び下部の凸はそれぞれ対角位置に配置されおり、
複数の洗濯機パン包装体を積み重ねた際に前記上部および下部に形成された前記凹部と前記凸部がそれぞれ対応する位置に配置されており、
且つ前記凹部と前記凸部が勘合するように形成されていることを特徴とする洗濯機パン包装体。
【請求項５】
請求項１乃至請求項４のいずれか１項に記載の洗濯機パン包装体を複数個積み重ねて結束する際の梱包方法であって、
複数の前記洗濯機パン包装体を積み重ねた際に、最上段と最下段の前記洗濯機パンの底面部が互いに向き合う方向に配置されたことを特徴とする洗濯機パン包装体の梱包方法。
【発明の詳細な説明】
【技術分野】
【０００１】
本発明は、洗面所やユーティリティで使用される洗濯機パンの包装材及び包装体に関する発明である。 
【背景技術】
【０００２】
従来の洗濯機パン包装体は、洗濯機パンを輸送中の落下時の衝撃による傷や破損の防止のため全体をダンボール箱に入れ、更に４隅にクッション材のような包装材を入れたものが主流であった。
近年、地球環境に配慮し、建築現場における廃材低減が叫ばれるようになり、洗濯機パンの包装材の削減を図ることを目的に、図５に示すように洗濯機パンの両短辺にダンボール保護材１０１を巻き付けるように取付け、ＰＰバンド１０２で結束する方法。また、図６に示すように上面から上トレイ１１１を側面部まで包み込むように取付けＰＰバンド１０２で結束する方法がよく用いられている。  また、複数枚の洗濯機パンを効率よく包装する手段として洗濯機パンそのものの形状を工夫したものがある。（例えば、特許文献１参照。）
【特許文献１】特開２００１−２７１３９７公報（第５頁、第４図）
【発明の開示】
【発明が解決しようとする課題】
【０００３】
しかしながら、前述のような洗濯機パン包装体は、包装材そのものの削減には繋がっていたものの、図５のような包装体では、洗濯機パンの側面部開放された状態になっており、この部分の保護が十分に図れないため、輸送中の傷や破損等の事故の増加に繋がっている。
【０００４】
また、図６のような包装体では洗濯機パンの側面部の保護も図れており、比較的輸送中の傷や破損等の事故は起きることは少ないが、輸送中の持ち方等によって包装材そのものが破損することがあり、そのため輸送中の洗濯機パンの傷や破損等の事故の増加に繋がる恐れがあるため、荷扱い業者は輸送中に特別の配慮をしなければならないといった弊害があった。
【０００５】
更に図５や図６のような包装体においては、工場等の倉庫に積み重ねた状態で保管した場合、上に重ねた洗濯機パンの底面中央部は宙に浮いた状態となり、底面部の自重や上部に物を載せられることによってたわみ変形が生じる場合があった。
【０００６】
一方、一般に洗濯機パンは複数枚を１梱包として輸送するものであり、特許文献１のような形態の洗濯機パンとすることにより包装体の体積を小さくすることができ、包装材を削減することもできる。しかし、複数枚の洗濯機パン包装体においては輸送中の荷扱い作業を効率良くするためにＰＰバンド等で結束する必要があり、樹脂製の洗濯機パンではＰＰバンドの締め付け力による洗濯機パンの変形を防ぐことは困難であるという課題があった。
【０００７】
そこで、本発明は、上記問題を解決するためになされたもので、本発明の課題は、地球環境に配慮し、ダンボール等の包装材を削減しつつも輸送中に特別の配慮をしなくても洗濯機パンの輸送中に傷や破損による事故を防ぐことができるとともに、倉庫に積み重ねた状態で保管した場合でも、洗濯機パン本体の変形が生じない洗濯機パン包装体を提供することである。
更に、複数枚の洗濯機パン包装体においては輸送中の荷扱い作業を効率良くするためにＰＰバンド等で結束していても洗濯機パンの変形を防ぐことができる洗濯機パン包装体を提供することである。
【課題を解決するための手段】
【０００８】
上記目的を達成するために請求項１記載の発明によれば、洗濯機パンと、前記洗濯機パンを包装する包装部材とを備えた洗濯機パン包装体であって、前記洗濯機パンは、洗濯機等を載置する底面部と、前記底面部の周囲に立ちあがり、外側へと下降する形状のリム部とを有し、前記包装部材は、前記洗濯機パンにおける少なくとも対向する二辺の前記リム部の上面及び外側側面を覆い、且つ前記洗濯機パンの底面部上方側に覆われていない開放部を有するトレイと、前記洗濯機パン内部の前記トレイで覆われていない部分に装填され、前記トレイの上面部と略面一となるように前記洗濯機パンの底面部から前記トレイの上面部までの長さと略同一な高さを有するクッション材を備えたことを特徴とする洗濯機パン包装体とする。
その結果、地球環境に配慮し、ダンボール等の包装材を削減しつつも輸送中に特別の配慮をしなくても洗濯機パンの輸送中に傷や破損による事故を防ぐことができるとともに、洗濯機パン底面部のそりなどの変形を防止することができる洗濯機パン包装体の提供を可能とした。
【０００９】
また、請求項２記載の発明によれば、洗濯機パンと、前記洗濯機パンを包装する包装部材とを備えた洗濯機パン包装体であって、前記洗濯機パンは、洗濯機等を載置する底面部と、
前記底面部の周囲に立ちあがり、外側へと下降する形状のリム部とを有する洗濯機パンであって、前記包装部材は、前記洗濯機パンにおける少なくとも対向する二辺の前記リム部の上面及び外側側面及び裏面を覆うトレイと、前記洗濯機パンの裏面部の前記トレイで覆われていない部分には、前記トレイの下面と略面一となるように前記洗濯機パンの裏面部から前記トレイの下面部までの長さと略同一な厚みを有する保護材を装着したことを特徴とする洗濯機パン包装体とする。
この構成においても、地球環境に配慮し、ダンボール等の包装材を削減しつつも輸送中に特別の配慮をしなくても洗濯機パンの輸送中に傷や破損による事故を防ぐことができるとともに、洗濯機パン底面部のそりなどの変形を防止することができる洗濯機パン包装体の提供が可能となる。
【００１０】
また、請求項３記載の発明によれば、請求項１または請求項２に記載の洗濯機パン包装体において、前記トレイを複数に分断するための切断手段を設けたことを特徴とする洗濯機パン包装体とする。
その結果、ナイフなどの道具を使用して内部の洗濯機パンを傷つけることなく、包装体を容易に開梱することができ、更に、開梱後トレイを小さく分解しやすいため、廃材の廃棄が容易になる。
【００１１】
また、請求項４記載の発明によれば、請求項１乃至３のいずれか１項に記載の洗濯機パン包装体において、前記トレイの上部と下部それぞれに凹部と凸部を少なくとも一対ずつ形成し、更に、上部及び下部の凹部と上部及び下部の凸はそれぞれ対角位置に配置されおり、複数の洗濯機パン包装体を積み重ねた際に前記上部および下部に形成された前記凹部と前記凸部がそれぞれ対応する位置に配置されており、且つ前記凹部と前記凸部が勘合するように形成されていることを特徴とする洗濯機パン包装体とする。
その結果、倉庫保管の際に高く積み上げても荷崩れしにくくなる。また、複数枚の洗濯機パン包装体を持ち運ぶ際ひとつの塊として扱いやすくなる。
【００１２】
また、請求項５記載の発明によれば、請求項１乃至請求項４のいずれか１項に記載の洗濯機パン包装体を複数個積み重ねて結束する際の梱包方法であって、複数の前記洗濯機パン包装体を積み重ねた際に、最上段と最下段の前記洗濯機パンの底面部が互いに向き合う方向に配置されたことを特徴とする洗濯機パン包装体の梱包方法とする。
その結果、ＰＰバンド等で結束し複数洗濯機パン包装体とした場合、ＰＰバンド等のコーナー部下には、必ず洗濯機パンのリム部上端のＲ形状部があたることになる。したがって、ＰＰバンド等で結束されていても洗濯機パン本体の変形が生じることがない。
【発明の効果】
【００１３】
以上のように本発明によれば、地球環境に配慮し、ダンボール等の包装材を削減しつつも輸送中に特別の配慮をしなくても洗濯機パンの輸送中に傷や破損による事故を防ぐことができるとともに、倉庫に積み重ねた状態で保管した場合でも荷崩れを防ぎ、洗濯機パン本体の変形が生じない洗濯機パン包装体を提供することができる。
更に、複数枚の洗濯機パン包装体においては輸送中の荷扱い作業を効率良くするためにＰＰバンド等で結束していても洗濯機パンの変形を防ぐことができるという効果がある。
【発明を実施するための最良の形態】
【００１４】
本発明の実施形態による洗濯機パン包装体について、添付図面を参照して説明する。図１は、本発明に係る洗濯機パン包装体１１の実施形態の全体的な概要を示すものである。この実施形態に示された洗濯機パン包装体１１は、大別して、図２の底面部２２、リム部２３、排水開口部２４よりなる洗濯機パン２１と、洗濯機パンを包装する包装部材で構成される。
【００１５】
包装部材は、トレイ１２と、クッション材１３と保護材１４とで構成されている。図１に示すようにトレイ１２は洗濯機パン２１における少なくとも対抗する二辺のリム部２３の上面及び外側側面全体を覆い、且つ洗濯機パン２１の底面部上方側に覆われていない開放部を有している。
【００１６】
クッション材１３は洗濯機パン２１内部のトレイ１２で覆われていない部分に装填される平面視でＩ型のダンボール材である。トレイ１２の上面部と略面一となるように洗濯機パン２１の底面部２２からトレイ１２の上面部までの長さと略同一な高さを有していてトレイ１２に嵌合させる嵌合手段を備えている。嵌合手段として本実施例ではトレイ１２の上面と、クッション材１３に切欠きを設け、嵌合部が洗濯機パン包装体１１の上面と面一になるように、両切欠きの深さを高さ方向で調整している。尚、クッション材１３を装填する位置は洗濯機パン２１の中央部から排水口にかけての位置が望ましく、これら全体を囲むように丸形状、四角形状、三角形状としてもよい。また、これらを固定するための手段としてテープ等で固定しても良いが、上記のようにＩ型とするほうが、組立て性の向上や包装用の部材の削減に繋がる。
【００１７】
保護材１４は洗濯機パン裏面部２７のトレイ１２で覆われていない部分に装着されていて、トレイ１２の下面と略面一となるように洗濯機パン２１の裏面部からトレイの下面部までの長さと略同一な厚みを有している。
【００１８】
図２に示すように、洗濯機パン２１は平面視で略長方形であり、洗濯機を載置できるように底面部２２が略フラット形状になっている。また、底面部２２の周囲に立ちあがり、外側へと下降する形状のリム部２３を有している。リム部２３の上面は、ほぼ平坦な形状である。底面部２２は、洗濯機の排水ホースを接続するために所定の位置に排水開口部２４を備えており、排水トラップを取り付けるためのフランジ部２５が、排水開口部２４に洗濯機パン２１の底面部２２より断面視で下方へ突出した形状で設けられている。また、洗濯機パン２１は一般的にＰＰ樹脂、ＡＢＳ樹脂、ＰＥ樹脂、ＨＩＰＳ樹脂、ＦＲＰ樹脂などの合成樹脂で、用途に応じて抗菌材等が添加されることもあり、射出成形あるいはプレス成形によって一体成形される成形体である。この際、保護材１４は排水開口部２４の下端部より突出した位置に配置される。
【００１９】
図３は、本発明の実施形態による洗濯機パン包装体１１の側面図である。トレイ１２は開梱時の廃材の量をできるだけ少なくするため、洗濯機パン２１の上面から下面全体を覆う必要はなくコーナー部を十分覆い隠すのに必要な程度の大きさ（間口）であれば十分である。また、複数枚を結束する場合にＰＰバンド１０２等をかけても容易にずれたり外れたりしない程度の幅（奥行き）に設定することが望ましい。さらにトレイ１２を固定しやすくするためトレイ１２の洗濯機パン２１の上面と下面を包み込み上下に対向する位置に切り欠き１６を設けている。
保護材１４は、包装される洗濯機パン２１の大きさに合わせ適宜必要な大きさとして構わない。すなわち、より簡易的に洗濯機パン２１の裏面部２７だけに取り付けられる程度の大きさとしても、底面部２２と側面部２６を保護する程度の大きさ（図示せず）としても構わない。
【００２０】
更に、洗濯機パン２１の排水開口部２４が、底面部２２より下方へ突出した形状である洗濯機パン２１へ装着しやすいよう、トレイ１２の下部には排水開口部２４が露出するように切り欠き（図示せず）を設けるなどしておくことが望ましく、トレイ１２の下部の厚みをトレイ１２の下部から排水開口部２４が突出しない程度か面一となる程度とすることが望ましい。このようなトレイ１２の形状にすることで、洗濯機パン包装体１１の底面を面一とすることができるので、洗濯機パン包装体１１を床面上で引きずった時に排水開口部２４への傷つきを防ぐことができる。
【００２１】
また、本実施例では図１に示すように、トレイ１２両端短辺側の上部及び下部にそれぞれ凹凸部１５を設けている。凹凸部１５は、トレイの上部と下部それぞれに一対の凹部と凸部を形成し、複数の洗濯機パン包装体を積み重ねた際に凹部と凸部が対応する位置に配置されており、且つ凹部と凸部が嵌合するように形成されている。本実施例では上面の一方を凸部とし対辺側を凹部とし対向する下面側にはそれぞれ逆の凹凸部１５を設けている。そのため洗濯機パン包装体を複数枚重ねた場合、互いに嵌合し合い安定して積み上げることができ、保管中の荷崩れや変形を防ぐことができる。
【００２２】
次にトレイ１２を複数に分断するための切断手段について説明する。
図１に示すように、本実施例ではトレイ１２を２つに分断するための切断手段３２を側面部に備えている。したがって、洗濯機パン包装体１１の開梱のためにカッターナイフなどを用いることなく容易に開梱することができ、開梱後に廃材を小さく分解することができるため廃材がかさばらない。本実施例の切断手段３２はトレイ１２側面にあるが、他にも例えば上面中央部にあってもよく側面には限定されない（図示せず）。
【００２３】
尚、トレイ１２、クッション材１３、保護材１４の材質は、実施例ではダンボールとして示しているが、発泡スチロールや合成樹脂製の成形体を用いてもよく、そのような素材を用いて開梱後も容易に壊れないトレイ１２とし建築現場から工場間での通い箱としてもよい。
【００２４】
図４は、５枚の洗濯機パン包装体１１を重ねあわせて結束し、１梱包として取り扱えるようにした場合の斜視図である。本実施例では個々の洗濯機パン包装体１１は実施形態におけるものと実質的に同じであり、同じ符号を付して説明を省略する。
【００２５】
本実施例では５枚の洗濯機パン包装体１１のうち最下段の洗濯機パン包装体１１ｅのみを裏向きにし上側の洗濯機パン包装体１１ａ〜ｄ４枚を、上向きとして積重ねている。次に５枚の洗濯機パン包装体の長辺側をキャップ４０で覆い、ＰＰバンド１０２を２本、短辺側に巻いて結束している。
【００２６】
また強固にＰＰバンド１０２等で結束されていてもその締付け力は洗濯機パン２１の構造上強度の最も強いリム面上部にかかることになり、本体の変形が生じることがなく、複数洗濯機パン包装体１１ａ〜ｅを強固に結束でき、輸送中や荷扱い中にばらけることなく効率的に取り扱うことができる。尚、複数洗濯機パン包装体１１ａ〜ｅの積み重ね方としては最上段と最下段の洗濯機パン包装体１１ａおよび１１ｅが、互いに裏面部２７が向き合う方向にして結束することで上記の効果を得られるのであって、それ以外の包装体が上向きか下向きかはどちらでも構わない。このようにトレイ１２の上部と下部それぞれに凹部と凸部を一対ずつ形成し、更に、上部及び下部の凹部と上部及び下部の凸はそれぞれ対角位置に配置されている。つまり、トレイ１２の上部の凹部の直下にはトレイ１２の下部の凸部が形成され、逆にトレイ１２の上部の凸部の直下にはトレイ１２の下部の凹部が形成されている。したがって、下段に配置されるトレイ１２の上に載せるトレイ１２の向きを逆にしても凹部と凸部はそれぞれ嵌合されるようになっている。
【００２７】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【００２８】
例えば、本実施形態では、排水トラップを接続するための排水口を設けた洗濯機パンを例にとり説明したが、勿論排水トラップは洗濯機パンの外側に必要に応じて別途取り付けることとし洗濯機パンであれば排水口をあらかじめ開口していないものであってもよい。この場合、洗濯機パンは洗濯機を載せるための用途に用いられるのみでなく、例えば観葉植物を置いたり、ペットのトイレとしても用いることができる物であっても構わない。
【図面の簡単な説明】
【００２９】
【図１】本発明の１実施例に係る実施形態を示す斜視図である。
【図２】本発明に係る洗濯機パンの１実施例に係る形状を示す平面図および半断面側面図である。
【図３】本発明の１実施例に係る実施形態の側面を示す図である。
【図４】本発明の１実施例に係る複数洗濯機パン包装体の実施形態を示す斜視図である。
【図５】従来技術の形態例を示す図である。
【図６】従来技術の形態例を示す図である。
【符号の説明】
【００３０】
１１、１１ａ、１１ｂ、１１ｃ、１１ｄ、１１ｅ…洗濯機パン包装体
１２…トレイ
１３…クッション材
１４…保護材
１５…凹凸部
１６…切り欠き
２１…洗濯機パン
２２…底面部
２３…リム部
２４…排水開口部
２５…フランジ部
２６…側面部
２７…裏面部
３２…切断手段
４０…キャップ
１０１…ダンボール保護材
１０２…ＰＰバンド
１１１…上トレイ
【図１】
0004742891.tif 000002
【図２】
0004742891.tif 000003
【図３】
0004742891.tif 000004
【図４】
0004742891.tif 000005
【図５】
0004742891.tif 000006
【図６】
0004742891.tif 000007